(57)【要約】      （修正有）【課題】電流を軽易に通過させると共に、機械的な運動を円滑にした、給電端の方向を自由に調整できる電源プラグを提供する。【解決手段】給電端の方向を自由に調整できる電源プラグは、特に、電力給電端に組み込まれる部材（電源コードなど）とプラグの栓刃の相対角度を自由に調整でき、主にプラグ座体内部に一組の軸方向に移動可能なアーマチャを有し、座体の開放端にアーマチャと共軸な回転盤が回動可能に設置される。回転盤に各栓刃を取り付け、栓刃とアーマチャが相対して回動し、接触を形成することができ、座体とアーマチャの軸方向の相対する面の間に弾性アーチ部材を介在させ、栓刃とアーマチャの間に弾性せん断作用を持つプレート状の導電プローブ片を介在させる。【選択図】図１
0003158251.tif 000002
【実用新案登録請求の範囲】
【請求項１】
給電端の方向を自由に調整できる電源プラグであって、
内部に凹陥した円形空間が設けられ、前記空間の底面に中心軸が設置され、上方が開放端であるプラグ座体と、
軸方向に前後移動することができ、作業平面に同一中心かつ異なる半径で複数の導電スライド溝が形成され、前記中心軸と共軸関係であり、前記プラグ座体の凹陥した内部に設置され、かつ前記プラグ座体により径方向が位置決めされたアーマチャと、
前記アーマチャと同軸で回動可能に前記プラグ座体の開放端に設置された回転盤と、
差し込み端が前記回転盤の外側に向いた面上に垂直に分布され、根部を延伸してプレート状の弾性導電プローブ片が設けられ、それぞれが前記アーマチャに設けられた複数の前記導電スライド溝に伸入されて接触を形成する一組の栓刃と、
一端が前記プラグ座体に連結され、かつ前記アーマチャと導通され、他端が給電端である電力導通部材と、
前記プラグ座体内部と前記アーマチャの縦軸方向の距離の間に介在された弾性アーチ部材と、
を含むことを特徴とする、給電端の方向を自由に調整できる電源プラグ。
【請求項２】
前記回転盤が前記プラグ座体と結合される枠体により位置が規制されたことを特徴とする、請求項１に記載の給電端の方向を自由に調整できる電源プラグ。
【請求項３】
前記弾性アーチ部材が波型の金属リング片であることを特徴とする、請求項１に記載の給電端の方向を自由に調整できる電源プラグ。
【請求項４】
前記弾性アーチ部材がゴムで形成された波型のリング片であることを特徴とする、請求項１に記載の給電端の方向を自由に調整できる電源プラグ。
【請求項５】
前記弾性アーチ部材が弾性ゴムリングであることを特徴とする、請求項１に記載の給電端の方向を自由に調整できる電源プラグ。
【請求項６】
前記プラグ座体と前記枠体の相互に結合される一側にそれぞれ圧接溝部を設けたことを特徴とする、請求項１に記載の給電端の方向を自由に調整できる電源プラグ。
【請求項７】
前記栓刃根部の導電プローブ片に弾性エネルギーが蓄えられ、単一の活線端子を選択して実施できることを特徴とする、請求項１に記載の給電端の方向を自由に調整できる電源プラグ。
【考案の詳細な説明】
【技術分野】
【０００１】
本考案は、給電端の方向を自由に調整できる電源プラグに関し、特に、栓刃と座体の間の相対角度を自由に回転させて調整できる電源プラグであって、調整のため回転させるとき、ジャンプして火花が散ったり、円滑に回転しなかったりすることがないよう構成し、主に、プラグ座体を利用し、内部にアーマチャを結合し、アーマチャと共軸で回転盤を設置し、該回転盤に栓刃を取り付け、アーマチャと座体が縦軸方向において相対する面に、弾性アーチ部材を介在させ、且つ栓刃とアーマチャの間に弾性せん断作用を持つプレート状の導電プローブ片を介在させ、両者の弾性応力作用により運動時の機械的振動を吸収し、ギャップジャンプを回避する。
【背景技術】
【０００２】
固定式の電源コンセントは、往々にして建物の壁面または床に設置されており、これを利用して電器に安全かつ便利に電力を供給し、使用できるようにするが、一般のプラグとそれに付随するコード間は角度が固定されており、固定式コンセントも壁面に固定されていて差込口の方向を変えることはできないため、プラグとそれに付随するコードの結合角度関係が固定されている状況において、コードの配置に無理がある方向に挿入すると、コードとプラグの結合部位にねじれが生じることがあり、特に、必要な電流が比較的大きい電気製品の電源プラグに付随するコードは太く、太いコードはより大きな機械適応力を生むため、コンセントへの接続とコードの配置が容易でなく、平らになるよう折り曲げて平面の端子に接続することさえあり、また、掃除機や電動ツールなど位置を頻繁に変える必要がある電気製品は、作業する方向が頻繁に変わり、コードとプラグの結合部位のねじれを回避するため、プラグに付随するコードの結合方向も自由に変えることができたほうがよい。
【０００３】
プラグの栓刃と付随するコードの方向を調整可能にした設計には、台湾特許第Ｍ３５７０９３号、第Ｍ３１１１５７号、第３１４２７０号、出願第９２２１１４５５号などがあり、上述の各特許で実施されているのは、栓刃と座体の間にアーマチャを介在させることで、プラグの座体と栓刃の間で角度を調節できるようにし、付随するコードの配置方向を変えることができるようにしたものである。そのうち、第３１４２７０号は回動式プラグを提供しており、これは殼体に直接凹槽を形成し、環状導電片を結合させた後、導電片の表層に栓刃を接続したものであり、第Ｍ３１１１５７号は座体上に直接サンドイッチ状にアーマチャを設置し、各端子に層を分けて電力の導通を提供し、明確に導電位置を区分して、接触端子の機械的変形と短絡の危険を回避している。米国特許第６５９５７８２号は、同様に層状の同軸で結合した導電構造で、層を分けてそれぞれに属する端子に電力を導通し、層状のアーマチャを得る応用である。
【０００４】
しかしながら、電力の導通は、接続部材間の接触が緊密であるか否かが直接電流伝送の効率に影響し、先天的に接触が不良である場合や、角度の調節運動時に発生する振動で間隙ができてジャンプを生じ、電気抵抗による発熱やジャンプの火花を形成したりすると、無駄な損耗を引き起こす。最もよい方法は、導線間を直接連通し、間接的な構造がないとよいが、プラグとコードの配置方向を自由に調節できるようにする必要があることを考慮すると、相対運動する部材を介在させて間接的に電流の導通を提供する必要があるため、間接的に接触する部材間の接触を確実にし、電流がよりよいルートで流れ、運動時に通電を安定させ、ジャンプの発生を防ぐ必要がある。
【先行技術文献】
【特許文献】
【０００５】
【特許文献１】台湾特許第Ｍ３５７０９３号
【特許文献２】台湾特許第Ｍ３１１１５７号
【特許文献３】台湾特許第３１４２７０号
【特許文献４】台湾特許出願第９２２１１４５５号
【特許文献５】米国特許第６５９５７８２号
【考案の概要】
【考案が解決しようとする課題】
【０００６】
本考案の目的は、プラグの座体内部に一組の軸方向に前後移動できる平面のアーマチャを設置し、該アーマチャと同軸に回転盤を設置し、回転盤に端子を組み込み、各端子の一端がアーマチャに設けた導電スライド溝にそれぞれ接触して導通され、座体内部とアーマチャの間に弾性アーチ部材を設置し、端子とアーマチャが相対的に回動運動をするとき、機械的な振動を効果的に吸収することができるようにして、端子とアーマチャの確実な接触を確保し、円滑な経路を形成して電流を軽易に通過させると共に、機械的な運動を円滑にした、給電端の方向を自由に調整できる電源プラグを提供することにある。
【０００７】
本考案の別の目的は、栓刃がアーマチャに向かって接触する一端を延伸し、弾性応力を備えたせん断導電プローブ片を設け、該導電プローブ片の弾性的接触により、二重の弾性的な機械応力の吸収性を得て、端子とアーマチャの間の相対的な運動時に発生する機械的なギャップジャンプを吸収し、部材間の接触を確保して、電流が円滑に流れるよう補助する、給電端の方向を自由に調整できる電源プラグを提供することにある。
【課題を解決するための手段】
【０００８】
本考案の給電端の方向を自由に調整できる電源プラグは、特に、電力給電端に組み込まれる部材(電源コードなど)とプラグの栓刃の相対角度を自由に調整でき、主にプラグ座体内部に一組の軸方向に移動可能なアーマチャを設置し、座体の開放端にアーマチャと共軸な回転盤を回動可能に設置し、回転盤に各栓刃を取り付け、栓刃とアーマチャが相対して回動し、接触を形成することができ、座体とアーマチャの軸方向の相対する面の間に弾性アーチ部材を介在させ、栓刃とアーマチャの間に弾性せん断作用を持つプレート状の導電プローブ片を介在させ、アーチ部材と導電プローブ片により回転盤の回動過程に発生する機械的振動を吸収し、アーマチャと端子間に確実な接触を維持させてジャンプの火花を回避する。
【図面の簡単な説明】
【０００９】
【図１】本考案の部材を示す立体分解図である。
【図２】図１の組み立て後の側面図である。
【考案を実施するための形態】
【００１０】
本考案の給電端の方向を自由に調整できる電源プラグは、プラグに付随する電力導通部材(コード)との間の相対角度を自由に変化させることができるプラグの栓刃を提供するものであり、基本的に本考案の言うプラグとはＦ字形のプラグであり、設置された栓刃は相対するプラグ座体の端面で、平面の任意の角度の回動を行うことができ、運動の過程において部材間の振動を吸収し、確実に導電すると共に、火花を防ぎ、機械的運動を円滑にする。 
【００１１】
本考案の詳細な構造の動作及び動作原理は、主に座体の内部に凹陥空間を形成し、軸方向に移動可能な平面のアーマチャの設置に供し、該アーマチャの中心が座体の中心軸に正対されて同軸で重ね合わされ、アーマチャの作業平面に複数の半径の異なる、但し共役な導電スライド溝が分布され、アーマチャの外側に同軸で自由に回動する回転盤が設置され、該回転盤に栓刃を組込み、各栓刃の下端がアーマチャに設けた導電スライド溝にそれぞれ導通され、導電スライド溝は対外的に電力導通部材(電気コードなど)が接続される。
【００１２】
アーマチャは自由な単体であり、座体１に組み込んだ後、座体１の内部構造により径方向に位置決めされるが、軸方向に上下移動することができ、座体とアーマチャの縦軸方向の相対する面に、弾性アーチ部材を設置して両者を押し、前記弾性アーチ部材の弾性的な押す力により、アーマチャを押して回転盤に設置された端子の根部に向かって圧迫を保持し、確実に接触させると共に、回転盤の回動時に発生する機械的振動を吸収し、各端子の根部が隨時確実にアーマチャの導電スライド溝に接触するよう確保して、電流の円滑な流れを維持し、電気抵抗による温度上昇及びジャンプの火花の危険を回避する。
【００１３】
また、栓刃の根部のアーマチャの導電スライド溝に向かう経路に、弾性せん断作用を持つ導電プローブ片を延伸して設け、その延伸長さに蓄えられた弾性力により、補助的に回転盤が回動するときに部材の接触で発生する機械的振動を吸収し、電流の円滑な流れを確保することができる。
【００１４】
本考案の詳細な構造及び動作原理を説明する。図１、図２に示すように、本考案は主に座体１を含み、前記座体１内部に凹陥した円形空間を設け、中央部位に中心軸１１を凸設し、表面に開放端１０を形成する。平面単体式のアーマチャ２は、その表面に中心点を同じくして異なる半径で第１導電スライド溝２１、第２導電スライド溝２２、第３導電スライド溝２３が分布され、アーマチャ２は中心軸１１と共軸で座体１の内部に結合され、且つ座体１の内部構造により径方向で位置決めされるが、軸方向の移動は可能であり、且つその移動距離は限定されて離脱不能であり、アーマチャ２が中心軸１１の縦方向に沿って前後に移動し、そこに設けられた第１導電スライド溝２１、第２導電スライド溝２２、第３導電スライド溝２３がそれぞれ電力導通部材１００に接続される(図２参照)。
【００１５】
アーマチャ２の作業表面は共役な軸関係で平面回動可能な回転盤３に対応し、回転盤３の面上に第１組込み孔３１、第２組込み孔３２、第３組込み孔３３が分布され、第１組込み孔３１、第２組込み孔３２、第３組込み孔３３に第１栓刃４１、第２栓刃４２、第３栓刃４３がそれぞれ組み込まれ、且つ回転盤３に位置決めされる。第１栓刃４１、第２栓刃４２、第３栓刃４３の本体は回転盤３に固定され、根部がそれぞれ延伸されてアーマチャ２の第１導電スライド溝２１、第２導電スライド溝２２、第３導電スライド溝２３に伸入され、それぞれ接触を形成する。
【００１６】
回転盤３とアーマチャ２は共軸で重ね合わされた関係であるが、回転盤３はアーマチャ２の表面で回動し、第１栓刃４１、第２栓刃４２、第３栓刃４３を同期して回動させることができ、アーマチャ２は座体１によって径方向に位置決めされており、即ち回転盤３の回動角度がアーマチャ２に相対する角度偏移量を決定し、絶対的な相対運動を形成して、この相対的な運動角度が即ちプラグの方向の調整角度であり、またこのため付随する電力導通部材１００の方向の調整にも連動する。
【００１７】
本考案はアーマチャ２に設けた第１導電スライド溝２１、第２導電スライド溝２２、第３導電スライド溝２３が、回転盤３の第１栓刃４１、第２栓刃４２、第３栓刃４３の根部と確実に接触して電力が導通されるよう確保し、機械的な振動で火花が生じるのを回避するため、座体１とアーマチャ２の間の相対面に弾性アーチ部材５が結合され、該弾性アーチ部材５が形成する弾性的な押す力がアーマチャ２に設けられた第１導電スライド溝２１、第２導電スライド溝２２、第３導電スライド溝２３に一定方向の弾性的な押す力を提供して回転盤３に向かって押し当てさせ、この弾性圧着力を利用し、アーマチャ２に設けられた第１導電スライド溝２１、第２導電スライド溝２２、第３導電スライド溝２３が回転盤３の各端子の根部と確実な接触を維持することができる。回転盤３の回動時に生じる機械的振動は、弾性アーチ部材５の弾性により吸収されてギャップジャンプが消滅し、アーマチャ２の第１導電スライド溝２１、第２導電スライド溝２２、第３導電スライド溝２３に第１栓刃４１、第２栓刃４２、第３栓刃４３のそれぞれの根部と確実な電力導通を維持させ、且つ機械的な振動により生じるジャンプの危険を回避することができる。
【００１８】
前記弾性アーチ部材５がアーマチャ２の平面を等しい角度で押さえることができるようにするため、弾性アーチ部材５はリング状が最良であり、波状断面の金属リング片、あるいは同じ形状の弾性ゴム、または環状の弾性ゴムリングなどとしてもよい。
【００１９】
上述の回転盤３は同軸で座体１に可動的に固定され、中心軸１１の末端を利用して回転盤３が外に向かって離脱しないよう係止される。本考案はさらに枠体６を設け、該枠体６は座体１に相対して結合され、枠体６の内円が回転盤３の外円を回動可能に保持すると共に縦方向を規制し、回転盤３が平面で自由に回動できるが、縦方向に離脱しないよう限定することができる。
【００２０】
枠体６と座体１間は任意の結合方式とすることができ、ネジで固定したり、掛止したりする方式で達成でき、そのうち座体１と枠体６の一端に圧接溝部７を相対させて設け、２つの圧接溝部７を結合した後、電力導通部材１００を保持することができ、前記電力導通部材１００を電気コードとした場合、コードを押さえて保持する作用を形成し、付随させる機械的な連結力を形成させることができ、押さえる力は座体１と枠体６の嵌合の結合力またはネジの螺合力により達成される。
【００２１】
本考案は第１栓刃４１、第２栓刃４２、第３栓刃４３の根部がアーマチャ２の第１導電スライド溝２１、第２導電スライド溝２２、第３導電スライド溝２３に相対する間に、第１栓刃４１、第２栓刃４２、第３栓刃４３の根部から弾性導電プローブ片４１１、４２１、４３１を延伸して設けており、各弾性導電プローブ片４１１、４２１、４３１はそれぞれが所属する第１導電スライド溝２１、第２導電スライド溝２２、第３導電スライド溝２３にそれぞれ接触し、該弾性導電プローブ片４１１、４２１、４３１は弾性を備えており、異なる位置まで延伸されて異なる半径の各導電スライド溝の位置に接触できるほか、さらにその延伸された部分の弾性作用力により補助的な機械的振動の吸収を形成し、第１栓刃４１、第２栓刃４２、第３栓刃４３と第１導電スライド溝２１、第２導電スライド溝２２、第３導電スライド溝２３の間に、その弾性応力の補助によって、運転時に部材の接触点が機械的振動の影響を受ける際に発生するギャップジャンプを吸収し、部材間の確実な接触を維持してよりよい電流経路を形成することができる。上述の導電プローブ片４１１、４２１、４３１の弾性エネルギーは、全部または単一の活線端子の根部において実施することができる。
【００２２】
本考案は栓刃が座体に相対して相互運動を発生し、座体に連帯する電力導通部材１００の配線方向を調整することができ、そのうち座体１の内部に弾性アーチ部材５を設け、この弾性アーチ部材５の弾性作用力を利用し、回転盤３の内側表面に向けてアーマチャ２を押し、回転盤３に結合された第１栓刃４１、第２栓刃４２、第３栓刃４３の分布に確実な機械的接触力を獲得させ、接触部材間に電流が流れやすい経路を提供すると共に、栓刃の根部の導電スライド溝に向かう部分に、弾性せん断作用を持つ導電プローブ片を延伸して設け、部材が相対運動するとき、機械的振動を吸収して電路の導通を維持することができ、関連する類似の弾性作用でアーマチャと端子間に確実な機械的接触力を持たせ、その弾性吸収作用で機械的振動のギャップを吸収することができる自由な回動調整可能なプラグは、本考案の権利範囲に含まれることをここで述べておく。
【符号の説明】
【００２３】
１        座体
１０      開放端
１００    電力導通部材
１１      中心軸
２        アーマチャ
２１      第１導電スライド溝
２２      第２導電スライド溝
２３      第３導電スライド溝
３        回転盤
３１      第１組込み孔
３２      第２組込み孔
３３      第３組込み孔
４１      第１栓刃
４２      第２栓刃
４３      第３栓刃
４１１、４２１、４３１    弾性導電プローブ片
５        弾性アーチ部材
６        枠体
７        圧接溝部
【図１】
0003158251.tif 000003
【図２】
0003158251.tif 000004
【手続補正書】
【提出日】平成22年1月26日(2010.1.26)
【手続補正１】
【補正対象書類名】実用新案登録請求の範囲
【補正対象項目名】請求項６
【補正方法】変更
【補正の内容】
【請求項６】
前記プラグ座体が枠体と相互に結合され、結合される一側にそれぞれ圧接溝部を設けたことを特徴とする、請求項１に記載の給電端の方向を自由に調整できる電源プラグ。
【手続補正２】
【補正対象書類名】実用新案登録請求の範囲
【補正対象項目名】請求項７
【補正方法】変更
【補正の内容】
【請求項７】
栓刃に根部が設けられ、前記根部に導電プローブ片が結合され、前記導電プローブ片に弾性エネルギーが蓄えられ、単一の活線端子を選択して実施できることを特徴とする、請求項１に記載の給電端の方向を自由に調整できる電源プラグ。